(57)【要約】【課題】伝送側のデジタル情報を受信側にノイズなく光伝送する。【解決手段】伝送側のデジタル情報を受信側に光伝送するインターフェース回路であって、所定周期の第１の同期信号を形成する発振器２７と、伝送側のデジタル情報から第２の同期信号を抽出する第２の同期信号抽出手段２１と、通常は所定周期の第１の同期信号を出力する一方、第１の同期信号のタイミングが第２の同期信号と異なる場合に第２の同期信号を出力するように選択するタイミング制御手段２８と、タイミング制御手段２８で選択された同期信号に基いて制御され、且つ、伝送側のデジタル情報を受信側に光伝送する光伝送・送受信素子２３，２４と、光伝送・送受信素子２３，２４と同じタイミングの同期信号により制御され、且つ、光伝送・送受信素子２３，２５を介して光伝送された受信側のデジタル情報を波形成形して出力する波形成形手段２６とを備えたことを特徴とするインターフェース回路５（９）を提供する。【選択図】図６
2004120787.tif 000002
【特許請求の範囲】
【請求項１】
　伝送側のデジタル情報を受信側に光伝送するインターフェース回路であって、
　所定周期の第１の同期信号を形成する発振器と、
　前記伝送側のデジタル情報から第２の同期信号を抽出する第２の同期信号抽出手段と、　通常は前記所定周期の第１の同期信号を出力する一方、前記第１の同期信号のタイミングが前記第２の同期信号と異なる場合に前記第２の同期信号を出力するように選択するタイミング制御手段と、
　前記タイミング制御手段で選択された同期信号に基いて制御され、且つ、前記伝送側のデジタル情報を受信側に光伝送する光伝送・送受信素子と、
　前記光伝送・送受信素子と同じタイミングの同期信号により制御され、且つ、前記光伝送・送受信素子を介して光伝送された前記受信側のデジタル情報を波形成形して出力する波形成形手段とを備えたことを特徴とするインターフェース回路。
【発明の詳細な説明】
【技術分野】
【０００１】
　本発明は、伝送側のデジタル情報をインターフェース回路を介して受信側にノイズなく光伝送する際、伝送側のデジタル情報を、通常は発振器に基づいて形成した所定周期の第１の同期信号により制御される一方、第１の同期信号のタイミングが伝送側のデジタル情報から抽出した第２の同期信号と異なる場合に第２の同期信号により制御される光伝送・送受信素子（フォトカプラ）を介して光伝送することで、伝送側のデジタル情報が固定レートの場合と、固定レート以外のデータ転送レートである場合のいずれにも対応できるインターフェース回路に関する。
【背景技術】
【０００２】
　従来、原音を忠実に再現可能とする記録方式としてダイレクトカッティング方式が知られている。このダイレクトカッティング方式は、例えばプレーヤの演奏等をアナログ信号として或いはデジタルデータとして、その場で直接的に記録媒体に記録する方式である。このダイレクトカッティング方式によれば、原音を直接的に記録媒体に記録することができるため、ノイズや音質劣化を殆ど生ずることなく、原音を忠実に記録媒体に記録、そして、再生可能とすることができる。
【０００３】
　しかし、このダイレクトカッティング方式による記録を行うには、ダイレクトカッティングを行う記録機器が載置された場所にプレーヤが出向いて演奏するか、或いはプレーヤの演奏場所にダイレクトカッティングを行う記録機器を持ち込む必要がある。また、演奏中にミステイクが生じた場合には、そのミステイクをした箇所から演奏等をやり直し記録し直すような編集処理を行うことができないため、最初から演奏等をやり直して記録し直す必要があり、大変面倒かつ不便である。
【０００４】
　このため、このダイレクトカッティング方式は、理想的な記録方式として位置付けされているのが現状であり、実際には、原音を一次的に記録媒体（一次記録媒体：マスタテープ等）に記録し、この一次記録媒体から再生された音声情報を二次的な記録媒体（二次記録媒体：コンパクトディスクのマザースタンパ等）に記録する間接的な記録方式が採られている。
【０００５】
　この間接的な記録方式により、現在、一般的に行われているコンパクトディスクのマザースタンパが形成されるまでの工程を説明すると、この工程は、図９（ａ）に示す原音を一次記録媒体に記録する制作プロセスと、図９（ｂ）に示すこの製作プロセスで形成された一次記録媒体から原音の音声情報を再生し、これを二次記録媒体に記録する製造プロセスとからなっている。
【０００６】
　図９（ａ）に示す制作プロセスは、例えば音楽スタジオ等で行われ、プレーヤ等の演奏をマイクロホン１００（或いは演奏が記録された記録媒体）で集音し、この集音したアナログ的な音声情報をＡ／Ｄ変換器１０１でデジタル的な音声データに変換する。そして、この音声データを、マスター録音機１０２において、例えば磁気テープ等の一次記録媒体１０３にデジタル記録する。このプレーヤ等の演奏が記録された一次記録媒体１０３は、マスタテープとしてコンパクトディスクの製造工場（ＣＤプレス工場）に運ばれる。
【０００７】
　図９（ｂ）に示す製造プロセスは、このＣＤプレス工場での工程を示すものであり、マスター再生機１０５が、マスタテープ（一次記録媒体１０３）から音声データを再生し、これをＣＤカッティング装置１０６に供給する。ＣＤカッティング装置１０６は、感光剤（フォトレジスト）がコーティングされたガラス原盤に、マスター再生機１０５からの音声データに応じてオンオフ制御されたレーザビームを照射して該音声データに応じたピットを形成することで記憶原盤を形成する（レーザカッティング）。そして、この記憶原盤にニッケルメッキを施して記憶原盤に形成されたピットを写し取り、ニッケルスタンパ電鋳であるマザースタンパを形成する。これにより、一次記録媒体１０３である、マスタテープに記録された音声データが、二次記録媒体であるマザースタンパに記録されることとなる。
【０００８】
　このマザースタンパは、スタンパ検査工程を得て金型に取り付けられる。この金型でアクリル樹脂を射出成形して透明なクリアディスクを形成し、このクリアディスクにアルミニュウムを真空蒸着させ、プラスチック保護膜を積層することでコンパクトディスク（ＣＤ）が形成される。
【発明の開示】
【発明が解決しようとする課題】
【０００９】
　ここで、このようにして原音は、一次記録媒体１０３を介して間接的に二次記録媒体にデジタル的に記録されるのであるが、デジタル情報は「１」、「０」の符号化された情報であるため、音声情報をデジタル記録する限り音質の変化は生じないものと思われている。しかし、実際には、音声情報が伝搬する段階で図１０に示すようなリップル成分（交流成分）及びジッタ成分（波形の揺れ）等の様々な符号外成分が重畳しており、この符号外成分が原因で、上述の間接的な記録方式においては、デジタル記録であっても音質の変化が生じているのは事実である。
【００１０】
　具体的には、図９（ａ）に示す制作プロセスにおいては、マスター録音機１０２のアース１０２ａから地面及びＡ／Ｄ変換器１０１のアース１０１ａを介してＡ／Ｄ変換器１０１側にノイズが流れ込み、或いはＡ／Ｄ変換器１０１又はマスター録音機１０２の電源ライン１０１ｂ、１０２ｂを介して各機器１０１、１０２にノイズが流れ込み、さらにはＡ／Ｄ変換器１０１とマスター録音機１０２とを接続する接続ライン１０４を介して、Ａ／Ｄ変換器１０１側からのノイズがマスター録音機１０２側に流れ込むことで、同図（ａ）中点線で示すようなノイズのループが形成されている。このため、Ａ／Ｄ変換器１０１でマイクロホン１００からのアナログの音声信号をデジタル化する際に、このデジタル化のための基準電圧等が前記ノイズにより変化し、デジタル化された音声データと原音との間に誤差を生ずる。従って、この制作プロセスの段階で、マスターテープに記録された音声データには、既に原音との誤差が生じた音声データが記録されていることとなる。
【００１１】
　同様に、図９（ｂ）に示す製造プロセスにおいては、ＣＤカッティング装置１０６のアース１０６ａから地面及びマスター再生機１０５のアース１０５ａを介してマスター再生機１０５側にノイズが流れ込み、或いはマスター再生機１０５又はＣＤカッティング装置１０６の電源ライン１０５ｂ、１０６ｂを介して各機器１０５、１０６にノイズが流れ込み、さらにはマスター再生機１０５とＣＤカッティング装置１０６とを接続する接続ライン１０７を介して、マスター再生機１０５側からのノイズがＣＤカッティング装置１０６側に流れ込むことで、同図（ｂ）中点線で示すようなノイズのループが形成されている。このため、ＣＤカッティング装置１０６でマスターテープから再生された音声データをガラス原盤に記録する際に、前記ノイズによりさらに原音との誤差（制作プロセスでの誤差及び製造プロセスでの誤差）を生じた音声データが記録されることとなる。
【００１２】
　この原音との誤差は、マザースタンパ上に形成されるピットの長さの誤差として現れるため、このマザースタンパにより原音と異なる音声が記録されたコンパクトディスクが形成されることとなり、好ましいことではない。
　従って、伝送側のデジタル情報を受信側にノイズなく光伝送でき、且つ、伝送側のデジタル情報の転送レートに対応できるインターフェース回路が望まれている。
【課題を解決するための手段】
【００１３】
　本発明は、上述の課題に鑑みてなされたものであり、伝送側のデジタル情報を受信側に光伝送するインターフェース回路であって、
　所定周期の第１の同期信号を形成する発振器と、
　前記伝送側のデジタル情報から第２の同期信号を抽出する第２の同期信号抽出手段と、　通常は前記所定周期の第１の同期信号を出力する一方、前記第１の同期信号のタイミングが前記第２の同期信号と異なる場合に前記第２の同期信号を出力するように選択するタイミング制御手段と、
　前記タイミング制御手段で選択された同期信号に基いて制御され、且つ、前記伝送側のデジタル情報を受信側に光伝送する光伝送・送受信素子と、
　前記光伝送・送受信素子と同じタイミングの同期信号により制御され、且つ、前記光伝送・送受信素子を介して光伝送された前記受信側のデジタル情報を波形成形して出力する波形成形手段とを備えたことを特徴とするインターフェース回路を提供するものである。
【発明の効果】
【００１４】
　本発明に係るインターフェース回路によると、とくに、伝送側のデジタル情報をインターフェース回路を介して受信側に光伝送する際、上記したインターフェース回路は、伝送側のデジタル情報を、通常は発振器に基づいて形成した所定周期の第１の同期信号により制御される一方、第１の同期信号のタイミングが伝送側のデジタル情報から抽出した第２の同期信号と異なる場合に第２の同期信号により制御される光伝送・送受信素子（フォトカプラ）を介して光伝送することで、伝送側のデジタル情報が固定レートの場合と、固定レート以外のデータ転送レートである場合のいずれにも対応できると共に、インターフェース回路により伝送側のデジタル情報を受信側にノイズがなく光伝送できる。従って、本発明に係るインターフェース回路を、例えば、光ディスク製造システムに適用した場合に、原音に忠実な音声情報を記録した光ディスクを製造可能とすることができる。
【発明を実施するための最良の形態】
【００１５】
　以下に本発明に係るインターフェース回路の一実施例を図１乃至図８を参照して、実施例１，実施例２の順に詳細に説明する。
　尚、以下の説明では、本発明に係るインターフェース回路を、光ディスク製造システム（マスター記録媒体製造装置，光ディスク製造装置）に適用した場合について述べる。
【実施例１】
【００１６】
　［実施例１の形態の全体的な構成］
　本発明に係る実施例１のインターフェース回路を適用した光ディスク製造システムは、図１に示すマスターディスク製造装置１、及び図２に示すコンパクトディスクカッティングシステム２（ＣＤカッティングシステム）で構成されている。
【００１７】
　［マスターディスク製造装置の構成］
　マスターディスク製造装置１は、例えば音楽スタジオ等に設置されるものであり、図１に示すようにプレーヤの演奏等による音声を集音するマイクロホン３（或いは、記録媒体に記録した音源）と、マイクロホン３で集音されたアナログ的な音声信号を例えば２０ビットの音声データにデジタル化するＡ／Ｄ変換器４と、例えばリップル成分（交流成分）やジッタ成分（揺れ）等の符号外成分が重畳したＡ／Ｄ変換器４からの音声データを、原音に忠実なデジタル波形の音声データに波形成形して出力するインターフェース回路部５と、インターフェース回路部５により波形成形された音声データを、一次記録媒体である例えば光磁気ディスクに記録してマスターディスク７を形成するマスター録音機６とを有している。
【００１８】
　［ＣＤカッティングシステムの構成］
　ＣＤカッティングシステム２は、例えばコンパクトディスクの製造工場に設置されるものであり、図２に示すように前記マスターディスク７に記録されている音声データを再生するマスター再生機８と、前記リップル成分やジッタ成分等の符号外成分が重畳したマスター再生機８からの音声データを、原音に忠実なデジタル波形の音声データに波形成形して出力するインターフェース回路部９と、インターフェース回路部９により波形成形された音声データを二次記録媒体であるマザースタンパに記録し、このマザースタンパに基づいてコンパクトディスクを製造するＣＤカッティング装置１０とを有している。
【００１９】
　［インターフェース回路部の構成］
　（インターフェース回路部の概念的な構成）
　図１に示した前記Ａ／Ｄ変換器４とマスター録音機６との間に設けられるインターフェース回路部５、又は、図２に示した前記マスター再生機（８）とＣＤカッティング装置（１０）との間に設けられるインターフェース回路部（９）は、概念的には図３に示すようになっている。この図３には、上記したインターフェース回路部５（９）を、点線のブロックとして示している。
【００２０】
　図３において、図１に示したインターフェース回路部５は、Ａ／Ｄ変換器４からの音声データが供給される入力端子１５と、この入力端子１５を介して供給される音声データを、原音に忠実なデジタル波形の音声データに波形成形し、これを出力端子１９を介してマスター録音機６側に伝達する符号伝達手段１６と、前記音声データの波形成形に必要なタイミング情報を発生するタイミング制御手段１８と、タイミング制御手段１８からのタイミング情報を符号伝達手段１６側に伝達するタイミング情報伝達手段１７とで構成されている。一方、図２に示したインターフェース回路部（９）も、図１に示したインターフェース回路部５と同様な構成であるので詳述を省略する。
【００２１】
　Ａ／Ｄ変換器４とマスター録音機６との間は図１中点線で示すように、このインターフェース回路部５により、電源やアースを含め、電気的、静電的及び電磁的に完全に分離された状態となっており、Ａ／Ｄ変換器４側からのノイズがマスター録音機６側に伝搬されないように、また、マスター録音機６側からのノイズがＡ／Ｄ変換器４側に伝搬されないようになっている。
【００２２】
　（インターフェース回路部の具体的な構成）
　具体的には、インターフェース回路部５は、図４に示すようにタイミング制御回路２８から伝送される同期信号に基づいて、入力端子１５を介してＡ／Ｄ変換器４から供給される音声データの同期を図って出力する同期制御回路２１と、前記同期信号のタイミングに同期化された音声データを所定の利得で増幅する増幅回路２２（アンプ）と、アンプ２２からの音声データに応じて発光駆動され、該音声データを光データとして送信する発光ダイオード２３とを有している。
【００２３】
　発光ダイオード２３は、アノード側が抵抗Ｒ１を介して基準電圧を印加する電源ラインに接続されており、カソード側がアンプ２２の出力側に接続されている。そして、同期化制御回路２１から供給される音声データがローレベル（論理０）のときに、当該発光ダイオード２３に電流が流れて発光するようになっている。
【００２４】
　また、このインターフェース回路部５は、前記発光ダイオード２３と共にフォトカプラを形成し、該発光ダイオード２３から光送信された光データによりオンオフ制御されるフォトトランジスタ２４と、フォトトランジスタ２４の出力である、音声データの符号を示す符号検出出力の出力タイミングを制御する符号検出スイッチ２５と、タイミング制御回路２８からのＤフリップフロップクロックに基づいて、前記符号検出出力から音声データを形成することで、前記Ａ／Ｄ変換器４から出力される符号外成分の重畳した音声データを、原音に忠実なデジタル波形の音声データに波形成形し、これを出力端子１９を介してマスター録音機６側に供給するＤフリップフロップ２６とを有している。
【００２５】
　フォトトランジスタ２４は、抵抗Ｒ２を介して基準電圧が印加される電源ラインと符号検出スイッチ２５との間に挿入接続されるかたちで設けられており、その出力（前記符号検出出力）は、抵抗Ｒ２と当該フォトトランジスタ２４との接続間から取り出されるようになっている。
【００２６】
　符号検出スイッチ２５は、選択端子が接地されており、タイミング制御回路２８からのスイッチ切り換えクロックがハイレベル（論理１）のときにのみオン制御されるようになっている。このため、前記符号検出出力は、同期化制御回路２１から出力される音声データがローレベルで、タイミング制御回路２８から符号検出スイッチ２５に供給されるスイッチ切り換えクロックがハイレベルのときにのみローレベルとなる。言い換えれば、発光ダイオード２３が発光駆動され、フォトトランジスタ２４がオン動作し、符号検出スイッチ２５がオン動作した場合のみ、符号検出出力がローレベルとなる。
【００２７】
　また、このインターフェース回路部５は、所定周波数の基準クロックを発生する例えば水晶発振器２７と、この水晶発振器２７により発生された基準クロックに基づいて、同期信号、前記符号検出スイッチ２５を切り換え制御するためのスイッチ切り換えクロック、及び前記Ｄフリップフロップ２６のクロック入力端子（ＣＫ）に供給するＤフリップフロップクロックを形成するタイミング制御回路２８と、タイミング制御回路２８からの同期信号を所定の利得で増幅するアンプ２９と、アンプ２９からの同期信号を光送信する発光ダイオード３０と、発光ダイオード３０と共にフォトカプラを形成し、該発光ダイオード３０から光送信された同期信号を受光して電気的な同期信号に変換して前記同期化制御回路２１に供給するフォトトランジスタ３１とを有している。
【００２８】
　発光ダイオード３０は、カソード側がアンプ２９の出力端子に接続されており、アノード側が抵抗Ｒ３を介して基準電圧が印加される電源ラインに接続されている。そして、アンプ２９から供給される音声データがローレベル（論理０）のときに、当該発光ダイオード３０に電流が流れ発光するようになっている。
【００２９】
　フォトトランジスタ３１は、抵抗Ｒ４を介して基準電圧が印加される電源ラインと接地との間に挿入接続されるかたちで設けられており、その出力（前記同期信号）は、抵抗Ｒ４と当該フォトトランジスタ３１との接続間から取り出されるようになっている。
【００３０】
　なお、以上の説明は、マスターディスク製造装置１側に設けられているインターフェース回路部５の構成の説明であったが、ＣＤカッティングシステム２に設けられているインターフェース回路部９も、該インターフェース回路部５と同じ構成を有している。この場合、同期化制御回路２１には、マスター再生機８からの音声データが入力され、Ｄフリップフロップ２６からの出力（波形成形された音声データ）は、ＣＤカッティング装置１０側に供給される構成となる。そして、マスター再生機８とＣＤカッティング装置１０との間は図２中点線で示すように、インターフェース回路部９により、電源やアースを含め、電気的、静電的及び電磁的に完全に分離された状態となっており、マスター再生機８側からのノイズがＣＤカッティング装置１０側に伝搬されないように、また、ＣＤカッティング装置１０側からのノイズがマスター再生機８側に伝搬されないようになっている。
【００３１】
　［実施例１の形態の動作］
　次に、このような構成を有する当該光ディスク製造システムの動作説明をする。
【００３２】
　［マスターディスク製造動作］
　まず、図１に示すマスターディスク製造装置１においてマスターディスクの製造を行う場合、マイクロホン３によりプレーヤの演奏等を集音し、この音声信号をＡ／Ｄ変換器４に供給する。Ａ／Ｄ変換器４は、アナログ信号として供給される前記音声信号を、例えば２０ビットのデジタルデータである音声データに変化し、これをインターフェース回路部５に供給する。
【００３３】
　Ａ／Ｄ変換器４からの音声データは、図４に示す入力端子１５を介してインターフェース回路部５側に取り込まれ、同期化制御回路２１に供給される。インターフェース回路部５のタイミング制御回路２８は、水晶発振器２７からの基準クロックに基づいて、図５（ａ）に示すような所定のタイミングの同期信号を形成し、これをアンプ２９を介して発光ダイオード３０に供給する。
【００３４】
　発光ダイオード３０は、アンプ２９を介して供給される同期信号がローレベルのタイミングで発光し、該同期信号を光送信する。この光送信された同期信号は、フォトトランジスタ３１により受光される。フォトトランジスタ３１は、発光ダイオード３０が発光した際にオン動作する。フォトトランジスタ３１がオフ動作している間は、電源ラインからの基準電圧が抵抗Ｒ４を介して同期化制御回路２１に供給されているのであるが、フォトトランジスタ３１がオン動作すると、この基準電圧が接地される。このため、同期化制御回路２１には、タイミング制御回路２８により形成された同期信号と等価の信号（同期信号）が供給されることとなる。
【００３５】
　同期化制御回路２１は、この同期信号のタイミングで、入力端子１５を介して供給される音声データの同期を図り、図５（ｂ）に示すような音声データをアンプ２２を介して発光ダイオード２３に供給する。なお、この音声データは、図５（ｂ）に示すようにＡ／Ｄ変換器４に生じた電源ノイズ等によるリップル成分及びジッタ成分等の符号外成分が重畳されたものとなっている。
【００３６】
　発光ダイオード２３は、ローレベルの音声データが供給されたタイミングで発光し、この音声データを光送信する。この光送信された音声データは、フォトトランジスタ２４により受光される。フォトトランジスタ２４は、発光ダイオード２３が発光した際にオン動作する。一方、タイミング制御回路２８は、前記同期タイミングに同期して所定短時間（一瞬のみ）ハイレベルとなる、図５（ｃ）に示すようなスイッチ切り換えパルスを形成し、これを符号検出スイッチ２５に供給する。符号検出スイッチ２５は、このハイレベルのスイッチ切り換えパルスが供給されるとオン動作する。
【００３７】
　Ｄフリップフロップ２６のデータ入力端子（Ｄ）に供給される符号検出出力は、通常、抵抗Ｒ２を介した電源ラインからの基準電圧が印加されているためハイレベルとなっているのであるが、フォトトランジスタ２４及び符号検出スイッチ２５が共にオン動作すると前記基準電圧が接地されるためローレベルとなる。従って、Ｄフリップフロップ２６のデータ入力端子には、図５（ｂ）に示す音声データがローレベルで、かつ、同図（ｃ）に示すスイッチ切り換えパルスがハイレベルのときのみ、同図（ｄ）に示すようにローレベルの符号検出出力が供給されることとなる。
【００３８】
　Ｄフリップフロップ２６のクロック入力端子（ＣＫ）には、タイミング制御回路２８により形成された、前記同期信号のタイミングでローレベルとなる図５（ｅ）に示すようなＤフリップフロップクロックが供給されている。Ｄフリップフロップ２６は、データ入力端子に供給された符号検出出力を、クロック入力端子に供給されるＤフリップフロップクロックの立ち上がりでデータ出力端子（Ｑ）に伝達する。これにより、図５（ｂ）に示した符号外成分が重畳した音声データのデジタル波形を、同図（ｆ）に示すような原音に忠実なデジタル波形の音声データに波形成形することができる。この波形成形された音声データは、出力端子１９を介して図１に示すマスター録音機６に供給される。
【００３９】
　マスター録音機６は、インターフェース回路部５を介して供給される２０ビットの音声データを例えば光磁気ディスクに光磁気記録する。これにより、原音に忠実なデジタル波形の音声データを記録した１次記録媒体であるマスターディスク７を形成することができる。
【００４０】
　［マスターディスク製造装置の効果］
　当該実施例１のインターフェース回路５を適用した光ディスク製造システムのマスターディスク製造装置１は、インターフェース回路部５により、Ａ／Ｄ変換部４とマスター録音機６とを電源やアースを含め、電気的、静電的及び電磁的に完全に分離された状態とすると共に、Ａ／Ｄ変換部４からの音声データの符号外成分を除去して原音に忠実なデジタル波形の音声データを形成し、これをマスターディスク７に記録するようにしている。このため、原音に符号外成分が重畳することで、マスターディスク７に記録される音声データのピットの長さが変化して異なる音質となる不都合を防止することができ、原音に忠実なデジタル波形の音声データが記録されたマスターディスク７を形成することができる。
【００４１】
　なお、この例においては、光磁気ディスクでマスター記録媒体を形成することとしたが、これは、例えば磁気テープ、ライトワンス、半導体メモリ等の他の記録媒体でもよい。
【００４２】
　［ＣＤカッティングシステムの動作］次に、図２に示すＣＤカッティングシステム２において前記マスターディスク７からコンパクトディスクの製造を行う場合、当該システム２にマスターディスク７を装着し、これをマスター再生機８で再生する。マスター再生機８は、このマスターディスク７から再生した２０ビットの音声データをインターフェース回路部９に供給する。なお、このインターフェース回路部９に供給される音声データは、例えばマスター再生機８側の電源ノイズ等によるリップル成分やジッタ成分等の符号外成分が重畳したものとなっている。
【００４３】
　上述のように、図１に示すマスターディスク製造装置１に設けられているインターフェース回路部５と、この図２に示すＣＤカッティングシステム２に設けられているインターフェース回路部９とは同じ構成を有しており、このインターフェース回路部９により、当該ＣＤカッティングシステム２のマスター再生機８とＣＤカッティング装置１０とは、電源やアースを含め、電気的、静電的及び電磁的に完全に分離された状態となっている。インターフェース回路部９は、上述のインターフェース回路部５と同様にマスター再生機８によりマスターディスク７から再生された音声データに基づいて、符号外成分を除去して波形成形したかたちの、該マスターディスク７に記録されている音声データに忠実なデジタル波形の音声データを形成し、これをＣＤカッティング装置１０に供給する（図４及び図５参照）。
【００４４】
　ＣＤカッティング装置１０は、この波形成形された２０ビットの音声データから１６ビットの音声データを形成すると共に、感光剤（フォトレジスト）がコーティングされたガラス原盤に、この１６ビットの音声データに応じてオンオフ制御されたレーザビームを照射し、該音声データに応じたピットが形成された記憶原盤を形成する（レーザカッティング）。
【００４５】
　次に、ＣＤカッティング装置１０は、この記憶原盤にニッケルメッキを施して記憶原盤に形成されたピットを写し取り、ニッケルスタンパ電鋳であるマザースタンパを形成する。これにより、一次記録媒体である、マスタディスク７に記録された音声データを、二次記録媒体であるマザースタンパに記録することができる。
【００４６】
　このマザースタンパは、スタンパ検査工程を得て金型に取り付けられる。ＣＤカッティング装置１０は、この金型でアクリル樹脂を射出成形して透明なクリアディスクを形成する。そして、このクリアディスクにアルミニュウムを真空蒸着させ、プラスチック保護膜を積層することでコンパクトディスク（ＣＤ）を製造する。
【００４７】
　［ＣＤカッティングシステムの効果］
　上述のように、マスターディスク７には原音に忠実なデジタル波形の音声データが記録されている。そして、ＣＤカッティング装置１０には、インターフェース回路部９により、マスターディスク７に記録されている音声データに忠実なデジタル波形とされた音声データが供給されている。このため、マザースタンパには、原音に忠実なデジタル波形の音声データが記録されることとなる。従って、このマザースタンパで製造するコンパクトディスクに対して原音に忠実なデジタル波形の音声データを記録することができる。
【００４８】
　［実施例１のインターフェース回路を適用した光ディスク製造システムの効果］
　以上の説明から明らかなように、当該実施例１のインターフェース回路５，９を適用した光ディスク製造システムは、マスターディスクの製造の際に、インターフェース回路部５により原音に忠実なデジタル波形の音声データを記録したマスターディスク７を形成し、コンパクトディスクの製造の際に、インターフェース回路部９によりマスターディスク７に記録された音声データに忠実なデジタル波形の音声データを記録したマザースタンパを形成し、このマザースタンパに基づいてコンパクトディスクを製造するようになっている。このため、原音をデジタル的に取り扱う際に、その音声データに重畳するリップル成分やジッタ成分等の符号外成分に影響されることなく、原音に忠実なデジタル波形の音声データを記録したコンパクトディスクを製造することができる。従って、コンパクトディスクから再生される音声が原音と異なるものとなる不都合を防止することができる。
【００４９】
　また、原音を一次的にマスターディスク７に記録し、このマスターディスクに記録された音声を二次的にマザースタンパに記録するという、間接的な記録方式を採っているにも拘わらず、原音に忠実な高品質の音声を得ることができる。従って、間接的な記録方式の利点を生かしたうえで、ダイレクトカッティング方式と同様の高品質な音声を得る新たな記録方式を提供することができる。
【００５０】
　［実施例１の形態の変形例］
　ここで、図１に示したマスターディスク製造装置１において、各部の制御フォーマットが異なることで各出力の転送レートに差異を生ずる場合がある。例えば、マスター録音機６のデータ転送レートは、その前段のＡ／Ｄ変換器４のデータ転送レートよりも高くなることがある。同様に、図２に示したＣＤカッティングシステム２においても、各部の制御フォーマットが異なることで各出力の転送レートに差異を生ずる場合がある。例えば、マスター再生機８のデータ転送レートは、マスターディスク７に音声データを記録した際のデータ転送レートよりも高くなることがある。このような場合に、図４に示したインターフェース回路部５（９）において、タイミング制御回路２８で形成された固定レートの同期信号に基づいてデータ処理したのでは、供給された音声データが前記固定レート以外のデータ転送レートであった場合にこれに同期したデータ処理を行うことができない。
【００５１】
　この変形例は、インターフェース回路部５（９）を図６に示す構成とし、供給される音声データのデータ転送レートに応じて同期を図り、上述のデータ処理を可能とするものである。
【００５２】
　すなわち、この変形例の光ディスク製造システムに設けられているインターフェース回路部５（９）は、図６に示すように前記同期化制御回路２１〜フォトトランジスタ３１と共に、Ａ／Ｄ変換器４或いはマスター再生機８から供給される音声データから抽出された同期信号を前記タイミング制御回路２８に供給するフォトカプラ（発光ダイオード３３及びフォトトランジスタ３４）を有している。
【００５３】
　この場合、同期化制御回路２１は、Ａ／Ｄ変換器４或いはマスター再生機８から供給される音声データから同期信号を抽出し、これをアンプ３２及び発光ダイオード３３を介して光送信する。フォトトランジスタ３４は、この光送信された同期信号を受光してタイミング制御回路２８に供給する。
【００５４】
　タイミング制御回路２８は、通常、水晶発振器２７からの基準クロックに基づいて形成した同期信号を同期化制御回路２１側に供給しているのであるが、この基準クロックに基づいて形成した同期信号のタイミングが、前記フォトトランジスタ３４を介して供給された同期信号と異なる場合、このフォトトランジスタ３４からの同期信号を発光ダイオード３０及びフォトトランジスタ３１からなるフォトカプラを介して同期化制御回路２１に供給すると共に、この異なる同期信号に基づいて前記スイッチ切り換えパルス及びＤフリップフロップクロックを形成し、これらを符号検出スイッチ２５及びＤフリップフロップ２６に供給する。
【００５５】
　同期化制御回路２１は、通常、Ａ／Ｄ変換器４或いはマスター再生機８から供給される音声データを、前記水晶発振器２７からの基準クロックに基づいて形成された同期信号に同期させ、これを発光ダイオード２３を介してフォトトランジスタ２４側に光送信するのであるが、前記フォトトランジスタ３４からの同期信号が供給された場合、Ａ／Ｄ変換器４或いはマスター再生機８から供給される音声データをこの同期信号に同期させて前記フォトトランジスタ２４側に光送信する。
【００５６】
　前述のように、符号検出スイッチ２５には、異なる同期信号に基づい形成されたスイッチ切り換えパルスが供給されており、符号検出スイッチ２５は、このスイッチ切り換えパルスにより、音声データに同期して該音声データの符号を検出し、この符号検出出力をＤフリップフロップ２６に供給する。Ｄフリップフロップ２６は、前記異なる同期信号に基づいて形成されたＤフリップフロップクロックに基づいて前記符号検出出力を読み取ることにより、音声データの符号外成分を除去したかたちのデジタル波形に該音声データを波形成形して出力する。
【００５７】
　これにより、Ａ／Ｄ変換器４或いはマスター再生機８から供給される音声データのデータ転送クロックに応じて、これに同期した波形成形処理を可能とすることができる。
【実施例２】
【００５８】
　次に、本発明に係る実施例２のインターフェース回路を適用した光ディスク製造システムの説明をする。上述した本発明に係る実施例１のインターフェース回路を適用した光ディスク製造システムは、図４に示したインターフェース回路部５（又はインターフェース回路部９）において自ら形成した同期信号のタイミングで音声データの波形成形処理を行うものであったが、以下に説明する本発明に係る実施例２のインターフェース回路を適用した光ディスク製造システムは、インターフェース回路部５（又はインターフェース回路部９）が、供給された音声データのヘッダ情報等に付されている同期信号のタイミングで該音声データの波形成形処理を行うものである。なお、上述の実施例１の形態と当該実施例２の形態とではこの点のみが異なるため、以下、この異なる点の説明のみ行い重複説明を省略する。
【００５９】
　［実施例２の形態の構成］
　すなわち、本発明に係る実施例２のインターフェース回路を適用した光ディスク製造システムは、上述のインターフェース回路部５或いはインターフェース回路部９が図７に示す構成を有している。具体的には、この図７において、インターフェース回路部５（又はインターフェース回路部９）は、入力端子１５を介して供給される音声データ（Ａ／Ｄ変換器４からの音声データ或いはマスター再生器８からの音声データ）のヘッダ情報等に付されている同期信号を検出する同期制御回路３５と、この同期信号を光送信する発光ダイオード３７と、この光送信された同期信号を受光するフォトトランジスタ３８と、フォトトランジスタ３８により取り込まれた同期信号に基づいて前記符号検出スイッチ２５を切り換え制御するためのスイッチ切り換えパルス、及び前記Ｄフリップフロップ２６に供給するＤフリップフロップクロックを形成するタイミング制御回路３９とを有している。
【００６０】
　［実施例２の形態の動作］
　このようなインターフェース回路部５（或いはインターフェース回路部９）は、例えば図８（ａ）に示すような音声データが入力端子１５を介して供給されると、上述のようにこの音声データをアンプ２２を介して発光ダイオード２３に供給して光送信すると共に、この音声データの先頭部分（ヘッダ情報）に含まれている同期信号をその都度検出し、これをアンプ３６を介して発光ダイオード３７に供給する。
【００６１】
　なお、入力端子１５を介して供給される音声データが、所定のデータ長で所定間隔（例えば６４クロック間隔）で供給される場合は、一旦、同期信号を検出することができれば、次の同期信号は６４クロック後に検出されることが予測できるため、例えば最初に同期信号を検出したタイミングからクロックのカウントを開始し、以後、６４クロック毎に同期信号を形成して出力するようにしてもよい。
【００６２】
　発光ダイオード３７は、カソード側がアンプ３６の出力側に、また、アノード側が抵抗Ｒ５を介して基準電圧が印加される電源ラインに接続されており、同期制御回路３５から供給される同期信号がローレベル（論理０）のときに、当該発光ダイオード３７に電流が流れ発光するようになっている。このため、発光ダイオード３７は、図８（ａ）に示す音声データの先頭のタイミングで発光して同期信号の光送信を行うこととなる。
【００６３】
　この発光ダイオード３７から光送信された同期信号は、該発光ダイオード３７と共にフォトカプラを形成するフォトトランジスタ３８により受光される。フォトトランジスタ３８は、基準電圧が印加される基準電圧の電源ラインと接地との間に挿入接続されるかたちで設けられている。そして、その出力は、抵抗Ｒ６と当該フォトトランジスタ３８との接続間から取り出すようになっている。このため、フォトトランジスタ３８がオフ動作しているときには、電源ラインから抵抗Ｒ６を介して供給される基準電圧がタイミング制御回路３９に供給されるのであるが、前記光送信された同期信号を受光することが当該フォトトランジスタ３８がオン動作すると、電源ラインから抵抗Ｒ６を介して供給される基準電圧が接地されるため、タイミング制御回路３９に供給される電圧は図８（ｂ）に示すようにローレベルとなる。タイミング制御回路３９は、このローレベルの信号を同期信号として取り込む。そして、この同期信号に基づいて図８（ｅ）に示すようなスイッチ切り換えパルスを形成して符号検出スイッチ２５に供給すると共に、図８（ｆ）に示すようなＤフリップフロップクロックを形成してＤフリップフロップ２６に供給する。
【００６４】
　一方、発光ダイオード２３を介して光送信された音声データは、フォトトランジスタ２４により受光されるのであるが、この音声データには、図８（ｃ）に示すように符号外成分が重畳している。このため、符号検出スイッチ２５は、スイッチ切り換えパルスに基づいてオンオフすることで、上述のように音声データの符号を検出し、図８（ｄ）に示すような符号検出出力をＤフリップフロップ２６に供給する。Ｄフリップフロップ２６は、前記Ｄフリップフロップクロックに基づいて符号検出出力を読み取ることで、図８（ｇ）に示すような原音に忠実なデジタル波形の音声データ、或いは前記マスターディスク７に記録された音声データに忠実なデジタル波形の音声データを形成し、これを出力端子１９を介してマスター録音機６或いはＣＤカッティング装置１０に供給する。
【００６５】
　［実施例２のインターフェース回路を適用した光ディスク製造システムの効果］
　これにより、原音に忠実な音声データをマスターディスク７に記録することができ、また、このマスターディスク７から原音に忠実な音声データが記録されたコンパクトディスクを形成することができる等、上述の実施例１のインターフェース回路を適用した光ディスク製造システムと同様の効果を得ることができると共に、この実施例２の形態では所定周波数の基準クロックを発生する水晶発振器などを設ける必要がない分だけ安価に構成できる。
【００６６】
　［他の適用例］
　なお、上述の各実施の形態の説明では、本発明に係るインターフェース回路を、コンパクトディスクを製造するシステムに適用することとしたが、本発明は、これ以外であっても例えばデジタルビデオディスク等の他の光ディスクを製造するシステムにも適用可能である。
【００６７】
　また、本発明の理解を容易化するために、例えばＡ／Ｄ変換器４は２０ビットの音声データを形成し、ＣＤカッティング装置１０は１６ビットの音声データを記録したコンパクトディスクを製造する等のように具体的な数値を掲げて説明したが、これは、設計等に応じて変更可能である。
【００６８】
　最後に、上述の各実施の形態の説明は、本発明のほんの一例である。このため、本発明は、この実施の形態に限定されることはなく、本発明に係る技術的思想を逸脱しない範囲であれば、種々の変更が可能であることは勿論である。
【図面の簡単な説明】
【００６９】
【図１】本発明に係る実施例１のインターフェース回路を適用した光ディスク製造システムを構成するマスターディスク製造装置のブロック図である。
【図２】本発明に係る実施例１のインターフェース回路を適用した光ディスク製造システムを構成するＣＤカッティングシステムのブロック図である。
【図３】図１，図２に示したインターフェース回路部の概念を説明するための図である。
【図４】図１〜図３に示したインターフェース回路部の具体的なブロック図である。
【図５】図１〜図３に示したインターフェース回路部の動作を説明するためのタイムチャートである。
【図６】本発明に係る実施例１のインターフェース回路を適用した光ディスク製造システムに設けられているインターフェース回路部の変形例を示すブロック図である。
【図７】本発明に係る実施例２のインターフェース回路を適用した光ディスク製造システムに設けられているインターフェース回路部の構成を示すブロック図である。
【図８】図７に示したインターフェース回路部の動作を説明するためのタイムチャートである。
【図９】従来のコンパクトディスクの製造プロセスを説明するための図である。
【図１０】従来のコンパクトディスクの製造プロセスで取り扱われる音声データに重畳する符号外成分により生ずる音質の変化を説明するための図である。
【符号の説明】
【００７０】
　１…マスターディスク製造装置、２…ＣＤカッティングシステム、３…マイクロホン、　４…Ａ／Ｄ変換器、５、９…インターフェース回路部、６…マスター録音機、
　７…マスターディスク、８…マスター再生機、１０…ＣＤカッティング装置、
　２１…同期化制御回路、
　２３…発光ダイオード、２４…フォトトランジスタ、
　２３，２４…光伝送・送受信素子（フォトカプラ）、
　２５…符号検出スイッチ、
　２６…Ｄフリップフロップ、２７…水晶発振器、２８…タイミング制御回路。
　３０…発光ダイオード、３１…フォトトランジスタ、
　３０，３１…光伝送・送受信素子（フォトカプラ）、
　３３…発光ダイオード、３４…フォトトランジスタ、
　３３，３４…光伝送・送受信素子（フォトカプラ）。
【図１】
2004120787.tif 000003
【図２】
2004120787.tif 000004
【図３】
2004120787.tif 000005
【図４】
2004120787.tif 000006
【図５】
2004120787.tif 000007
【図６】
2004120787.tif 000008
【図７】
2004120787.tif 000009
【図８】
2004120787.tif 000010
【図９】
2004120787.tif 000011
【図１０】
2004120787.tif 000012